(57)【特許請求の範囲】
【請求項１】
締め固め装置を備えた舗装機械であって、該舗装機械に舗装速度検出手段を設けると共に、該舗装速度検出手段に接続して前記締め固め装置の作動制御手段を設け、前記舗装速度検出手段の検出結果に基づき前記締め固め装置の作動を制御するように構成した舗装機械の締め固め制御装置に於いて、
前記作動制御手段は前記舗装速度検出手段に接続して該舗装速度検出手段からの検出信号を入力して演算する演算装置及び該演算装置に接続し且つ該演算装置に操作される電磁比例流量制御弁を設けてなり、該電磁比例流量制御弁は前記締め固め装置を構成するタンパ又はバイブレータの回転数又は振動数を調整する油圧モータの圧油の流量を制御するように構成したことを特徴とする舗装機械の締め固め制御装置。
【請求項２】
締め固め装置を備えた舗装機械であって、該舗装機械に舗装厚検出手段を設けると共に、該舗装厚検出手段に接続して前記締め固め装置の作動制御手段を設け、前記舗装厚検出手段の検出結果に基づき前記締め固め装置の作動を制御するように構成した舗装機械の締め固め制御装置に於いて、
前記作動制御手段は前記舗装厚検出手段に接続して該舗装厚検出手段からの検出信号を入力して演算する演算装置及び該演算装置に接続し且つ該演算装置に操作される電磁比例流量制御弁を設けてなり、該電磁比例流量制御弁は前記締め固め装置を構成するタンパ又はバイブレータの回転数又は振動数を調整する油圧モータの圧油の流量を制御するように構成したことを特徴とする舗装機械の締め固め制御装置。
【請求項３】
締め固め装置を備えた舗装機械であって、該舗装機械に舗装速度検出手段及び舗装厚検出手段を設けると共に、該舗装速度検出手段及び舗装厚検出手段に接続して前記締め固め装置の作動制御手段を設け、前記舗装速度検出手段及び舗装厚検出手段の検出結果に基づき前記締め固め装置の作動を制御するように構成した舗装機械の締め固め制御装置に於いて、
前記作動制御手段は前記舗装速度検出手段及び舗装厚検出手段に接続して該舗装速度検出手段及び舗装厚検出手段からの検出信号を入力して演算する演算装置及び該演算装置に接続し且つ該演算装置に操作される電磁比例流量制御弁を設けてなり、該電磁比例流量制御弁は前記締め固め装置を構成するタンパ又はバイブレータの回転数又は振動数を調整する油圧モータの圧油の流量を制御するように構成したことを特徴とする舗装機械の締め固め制御装置。
【請求項４】
締め固め装置を備えた舗装機械であって、該舗装機械に舗装速度設定値検出手段を設けると共に、該舗装速度設定値検出手段に接続して前記締め固め装置の作動制御手段を設け、前記舗装速度設定値検出手段の検出結果に基づき前記締め固め装置の作動を制御するように構成した舗装機械の締め固め制御装置に於いて、
前記作動制御手段は前記舗装速度設定値検出手段に接続して該舗装速度設定値検出手段からの検出信号を入力して演算する演算装置及び該演算装置に接続し且つ該演算装置に操作される電磁比例流量制御弁を設けてなり、該電磁比例流量制御弁は前記締め固め装置を構成するタンパ又はバイブレータの回転数又は振動数を調整する油圧モータの圧油の流量を制御するように構成したことを特徴とする舗装機械の締め固め制御装置。
【請求項５】
締め固め装置を備えた舗装機械であって、該舗装機械に舗装厚設定値検出手段を設けると共に、該舗装厚設定値検出手段に接続して前記締め固め装置の作動制御手段を設け、前記舗装厚設定値検出手段の検出結果に基づき前記締め固め装置の作動を制御するように構成した舗装機械の締め固め制御装置に於いて、
前記作動制御手段は前記舗装厚設定値検出手段に接続して該舗装厚設定値検出手段からの検出信号を入力して演算する演算装置及び該演算装置に接続し且つ該演算装置に操作される電磁比例流量制御弁を設けてなり、該電磁比例流量制御弁は前記締め固め装置を構成するタンパ又はバイブレータの回転数又は振動数を調整する油圧モータの圧油の流量を制御するように構成したことを特徴とする舗装機械の締め固め制御装置。
【請求項６】
締め固め装置を備えた舗装機械であって、該舗装機械に舗装速度設定値検出手段及び舗装厚設定値検出手段を設けると共に、該舗装速度設定値検出手段及び舗装厚設定値検出手段に接続して前記締め固め装置の作動制御手段を設け、前記舗装速度設定値検出手段及び舗装厚設定値検出手段の検出結果に基づき前記締め固め装置の作動を制御するように構成した舗装機械の締め固め制御装置に於いて、
前記作動制御手段は前記舗装速度設定値検出手段及び舗装厚設定値検出手段に接続して該舗装速度設定値検出手段及び舗装厚設定値検出手段からの検出信号を入力して演算する演算装置及び該演算装置に接続し且つ該演算装置に操作される電磁比例流量制御弁を設けてなり、該電磁比例流量制御弁は前記締め固め装置を構成するタンパ又はバイブレータの回転数又は振動数を調整する油圧モータの圧油の流量を制御するように構成したことを特徴とする舗装機械の締め固め制御装置。
【発明の詳細な説明】
【０００１】
【発明の属する技術分野】
この発明は、舗装機械の締め固め制御装置に関するものであり、特に、アスファルトフィニッシャー等の舗装機械に於て、タンパやバイブレータ等を備えた締め固め装置の回転数や振動数を自動制御し、最適な締め固め度が得られるようにした舗装機械の締め固め制御装置に関するものである。
【０００２】
【従来の技術及び発明が解決しようとする課題】
従来の此種舗装機械の締め固め装置について説明する。従来のアスファルトフィニッシャー等の舗装機械に備えられた締め固め装置はタンパやバイブレータ等を有し、舗装作業に於て該タンパやバイブレータの回転や振動を調節して締め固め度を調整し、該締め固め度の調整により仕上がりの良い舗装を行えるように操作されていた。
【０００３】
そして、前記舗装機械ではオペレータが手動で舗装速度や舗装厚に合わせて前記締め固め装置の回転数や振動数を調整していたため、オペレータが前記回転数や振動数の調整を忘れることがあったり、調整をしない場合があり、これによって舗装面が荒れたり所定の締め固め度が得られないという問題があった。
【０００４】
そこで、舗装機械の締め固め装置の作動を自動的に制御することにより、最適な締め固め度による仕上がりの良い舗装面を得るために解決すべき技術的課題が生じてくるのであり、本発明はこの課題を解決することを目的とする。
【０００５】
【課題を解決するための手段】
本発明は上記目的を達成するために提案されたものであり、締め固め装置を備えた舗装機械であって、該舗装機械に舗装速度検出手段を設けると共に、該舗装速度検出手段に接続して前記締め固め装置の作動制御手段を設け、前記舗装速度検出手段の検出結果に基づき前記締め固め装置の作動を制御するように構成した舗装機械の締め固め制御装置に於いて、
前記作動制御手段は前記舗装速度検出手段に接続して該舗装速度検出手段からの検出信号を入力して演算する演算装置及び該演算装置に接続し且つ該演算装置に操作される電磁比例流量制御弁を設けてなり、該電磁比例流量制御弁は前記締め固め装置を構成するタンパ又はバイブレータの回転数又は振動数を調整する油圧モータの圧油の流量を制御するように構成したことを特徴とする舗装機械の締め固め制御装置、
及び、締め固め装置を備えた舗装機械であって、該舗装機械に舗装厚検出手段を設けると共に、該舗装厚検出手段に接続して前記締め固め装置の作動制御手段を設け、前記舗装厚検出手段の検出結果に基づき前記締め固め装置の作動を制御するように構成した舗装機械の締め固め制御装置に於いて、
前記作動制御手段は前記舗装厚検出手段に接続して該舗装厚検出手段からの検出信号を入力して演算する演算装置及び該演算装置に接続し且つ該演算装置に操作される電磁比例流量制御弁を設けてなり、該電磁比例流量制御弁は前記締め固め装置を構成するタンパ又はバイブレータの回転数又は振動数を調整する油圧モータの圧油の流量を制御するように構成したことを特徴とする舗装機械の締め固め制御装置、
及び、締め固め装置を備えた舗装機械であって、該舗装機械に舗装速度検出手段及び舗装厚検出手段を設けると共に、該舗装速度検出手段及び舗装厚検出手段に接続して前記締め固め装置の作動制御手段を設け、前記舗装速度検出手段及び舗装厚検出手段の検出結果に基づき前記締め固め装置の作動を制御するように構成した舗装機械の締め固め制御装置に於いて、
前記作動制御手段は前記舗装速度検出手段及び舗装厚検出手段に接続して該舗装速度検出手段及び舗装厚検出手段からの検出信号を入力して演算する演算装置及び該演算装置に接続し且つ該演算装置に操作される電磁比例流量制御弁を設けてなり、該電磁比例流量制御弁は前記締め固め装置を構成するタンパ又はバイブレータの回転数又は振動数を調整する油圧モータの圧油の流量を制御するように構成したことを特徴とする舗装機械の締め固め制御装置、
及び、締め固め装置を備えた舗装機械であって、該舗装機械に舗装速度設定値検出手段を設けると共に、該舗装速度設定値検出手段に接続して前記締め固め装置の作動制御手段を設け、前記舗装速度設定値検出手段の検出結果に基づき前記締め固め装置の作動を制御するように構成した舗装機械の締め固め制御装置に於いて、
前記作動制御手段は前記舗装速度設定値検出手段に接続して該舗装速度設定値検出手段からの検出信号を入力して演算する演算装置及び該演算装置に接続し且つ該演算装置に操作される電磁比例流量制御弁を設けてなり、該電磁比例流量制御弁は前記締め固め装置を構成するタンパ又はバイブレータの回転数又は振動数を調整する油圧モータの圧油の流量を制御するように構成したことを特徴とする舗装機械の締め固め制御装置、
及び、締め固め装置を備えた舗装機械であって、該舗装機械に舗装厚設定値検出手段を設けると共に、該舗装厚設定値検出手段に接続して前記締め固め装置の作動制御手段を設け、前記舗装厚設定値検出手段の検出結果に基づき前記締め固め装置の作動を制御するように構成した舗装機械の締め固め制御装置に於いて、
前記作動制御手段は前記舗装厚設定値検出手段に接続して該舗装厚設定値検出手段からの検出信号を入力して演算する演算装置及び該演算装置に接続し且つ該演算装置に操作される電磁比例流量制御弁を設けてなり、該電磁比例流量制御弁は前記締め固め装置を構成するタンパ又はバイブレータの回転数又は振動数を調整する油圧モータの圧油の流量を制御するように構成したことを特徴とする舗装機械の締め固め制御装置、
並びに、締め固め装置を備えた舗装機械であって、該舗装機械に舗装速度設定値検出手段及び舗装厚設定値検出手段を設けると共に、該舗装速度設定値検出手段及び舗装厚設定値検出手段に接続して前記締め固め装置の作動制御手段を設け、前記舗装速度設定値検出手段及び舗装厚設定値検出手段の検出結果に基づき前記締め固め装置の作動を制御するように構成した舗装機械の締め固め制御装置に於いて、
前記作動制御手段は前記舗装速度設定値検出手段及び舗装厚設定値検出手段に接続して該舗装速度設定値検出手段及び舗装厚設定値検出手段からの検出信号を入力して演算する演算装置及び該演算装置に接続し且つ該演算装置に操作される電磁比例流量制御弁を設けてなり、該電磁比例流量制御弁は前記締め固め装置を構成するタンパ又はバイブレータの回転数又は振動数を調整する油圧モータの圧油の流量を制御するように構成したことを特徴とする舗装機械の締め固め制御装置を提供するものである。
【０００６】
【発明の実施の形態】
以下、本発明の一実施の形態を図１乃至図６に従って詳述する。先ず請求項１記載の発明を図１に従って説明する。図に於いて、１はアスファルトフィニッシャー等の舗装機械に備えられた締め固め装置の締め固め制御装置であり、該締め固め制御装置１は前記舗装機械（図示せず）の走行装置２の舗装速度を検出する舗装速度検出手段３を有すると共に、該舗装速度検出手段３の検出信号を入力して演算する演算装置４を備え、且つ、該演算装置４に接続されて該演算装置４に操作される電磁比例流量制御弁５が設けられる。そして、該演算装置４及び電磁比例流量制御弁５によって前記締め固め装置（図示せず）の作動制御手段６が構成される。
【０００７】
更に、前記締め固め装置のタンパ（図示せず）又はバイブレータ（図示せず）に回転又は振動を与える油圧モータ７が備えられ、該油圧モータ７は油圧ポンプ８から吐出された圧油が前記作動制御手段６の前記電磁比例流量制御弁５によって流量を制御されて流入するように構成されている。尚、図に於て９はタンクである。
【０００８】
而して、前記舗装速度検出手段３で検出された検出信号は前記演算装置４に入力されて演算され、該演算装置４の出力信号が前記電磁比例流量制御弁５のソレノイド５ａに入力される。これにより該電磁比例流量制御弁５は中立位置（イ）から作動位置（ロ）位置に切換わり、前記演算装置４の出力信号に基づいて前記油圧ポンプ８から吐出して前記油圧モータ７に流入する圧油の流量を制御する。そして、該油圧モータ７の回転により前記締め固め装置が回転及び振動し、これによって該締め固め装置は舗装速度に応じた締め固め度を得ることができ、仕上がりの良い舗装が可能になる。
【０００９】
尚、前記油圧モータ７の流量制御は上記方法に限定されるものではなく、他の方法でも可能である。
【００１０】
次に請求項２記載の発明を図２に従って説明する。図に於て１０は締め固め制御装置であり、該締め固め制御装置１０は前記締め固め制御装置１に設けた前記舗装速度検出手段３に代えて、レベリング（図示せず）高さ又はスクリード（図示せず）高さから舗装厚を検出する舗装厚検出手段１１を設けたものである。
【００１１】
従って、該舗装厚検出手段１１で検出された検出信号は前記締め固め制御装置１と同様に前記演算装置４に入力されて演算され、該演算装置４の出力信号が前記電磁比例流量制御弁５のソレノイド５ａに入力される。これによって、前記締め固め装置は舗装厚に応じた締め固め度を得ることができる。
【００１２】
次に請求項３記載の発明を図３に従って説明する。図に於て１２は締め固め制御装置であり、該締め固め制御装置１２は前記締め固め制御装置１に設けた前記舗装速度検出手段３に加えて、前記締め固め制御装置１０に設けた前記舗装厚検出手段１１を前記演算装置４に接続して設けたものである。
【００１３】
従って、前記舗装速度検出手段３及び前記舗装厚検出手段１１で検出された検出信号は前記締め固め制御装置１及び前記締め固め制御装置１０と同様に前記演算装置４に入力されて演算され、該演算装置４の出力信号が前記電磁比例流量制御弁５のソレノイド５ａに入力される。
【００１４】
尚、前記締め固め制御装置１２に於ては、例えば、先ず前記舗装厚検出手段１１により検出された舗装厚情報により前記締め固め装置の最適な回転数及び振動数を決定し、次に、前記舗装速度検出手段３により検出された舗装速度情報により前記舗装厚情報によって決定した前記回転数及び振動数を補正する。これによって、前記締め固め装置は舗装厚及び舗装速度に応じたより最適な締め固め度を得ることができる。
【００１５】
次に請求項４記載の発明を図４に従って説明する。図に於て１３は締め固め制御装置であり、該締め固め制御装置１３は前記締め固め制御装置１に設けた前記舗装速度検出手段３に代えて、舗装速度設定機器（図示せず）から舗装速度設定値を検出する舗装速度設定値検出手段１４を前記演算装置４に接続して設けたものである。
【００１６】
従って、該舗装速度設定値検出手段１４で検出された検出信号は前記締め固め制御装置１と同様に前記演算装置４に入力されて演算され、該演算装置４の出力信号が前記電磁比例流量制御弁５のソレノイド５ａに入力される。これによって、前記締め固め装置は舗装速度設定値に応じた締め固め度を得ることができる。
【００１７】
又、前記締め固め制御装置１３は、例えば、作業現場が変わった時、又は、舗装速度が変わった時も、前記舗装速度設定値に基づく前記締め固め制御装置の回転数及び振動数になるが、前記舗装機械も前記設定値に基づき早い時間に設定の舗装速度になるので、前記締め固め装置は早く変化前と同条件の作業状態に移行することができる。
【００１８】
次に請求項５記載の発明を図５に従って説明する。図に於て１５は締め固め制御装置であり、該締め固め制御装置１５は前記締め固め制御装置１３に設けた前記舗装速度設定値検出手段１４に代えて、舗装厚設定機器（図示せず）の舗装厚設定値を検出する舗装厚設定値検出手段１６を前記演算装置４に接続して設けたものである。
【００１９】
従って、該舗装厚設定値検出手段１６で検出された検出信号は前記締め固め制御装置１３と同様に前記演算装置４に入力されて演算され、該演算装置４の出力信号が前記電磁比例流量制御弁５のソレノイド５ａに入力される。これによって、前記締め固め装置は舗装厚設定値に応じた締め固め度を得ることができる。
【００２０】
又、前記締め固め制御装置１５は前記締め固め制御装置１３と同様に、例えば、作業現場が変わった時、又は、舗装速度が変わった時も、前記舗装厚設定値に基づき早く変化前と同条件の作業状態に移行することができる。
【００２１】
次に請求項６記載の発明を図６に従って説明する。図に於て１７は締め固め制御装置であり、該締め固め制御装置１７は前記締め固め制御装置１３に設けた前記舗装速度設定値検出手段１４に加えて、前記締め固め制御装置１５に設けた前記舗装厚設定値検出手段１６を前記演算装置４に接続して設けたものである。
【００２２】
従って、前記舗装速度設定値検出手段１４及び前記舗装厚設定値検出手段１６で検出された検出信号は前記締め固め制御装置１３及び前記締め固め制御装置１５と同様に前記演算装置４に入力されて演算され、該演算装置４の出力信号が前記電磁比例流量制御弁５のソレノイド５ａに入力される。
【００２３】
又、前記締め固め制御装置１７は前記締め固め制御装置１３及び前記締め固め制御装置１５と同様に、例えば、作業現場が変わった時、又は、舗装速度が変わった時も、前記舗装速度設定値及び前記舗装厚設定値に基づき早く変化前と同条件の作業状態に移行することができる。
【００２４】
更に、前記締め固め制御装置１７に於ては、前記締め固め制御装置１２と同様に、例えば、先ず前記舗装厚設定値検出手段１６により検出された舗装厚設定値情報により前記締め固め装置の最適な回転数及び振動数を決定し、次に、前記舗装速度設定値検出手段１４により検出された舗装速度設定値情報により前記舗装厚設定値情報によって決定した前記回転数及び振動数を補正し、更に最適な回転数及び振動数を決定する。
【００２５】
尚、本発明は、本発明の精神を逸脱しない限り種々の改変を為すことができ、そして、本発明が該改変されたものに及ぶことは当然である。
【００２６】
【発明の効果】
本発明は上記一実施の形態に詳述したように、請求項１記載の発明は舗装機械に舗装速度検出手段を設けると共に、該舗装速度検出手段に接続して前記締め固め装置の作動制御手段を設けたものであり、前記作動制御手段は前記舗装速度検出手段に接続して該舗装速度検出手段からの検出信号を入力して演算する演算装置及び該演算装置に接続し且つ該演算装置に操作される電磁比例流量制御弁を設けてなり、該電磁比例流量制御弁は前記締め固め装置を構成するタンパ又はバイブレータの回転数又は振動数を調整する油圧モータの圧油の流量を制御するように構成したから、前記舗装速度検出手段の検出結果に基づき前記締め固め装置の作動を制御することができ、舗装速度に応じて締め固め度を得ることが可能となり、仕上がりの良好な舗装を効率よく実現することができる。
【００２７】
又、請求項２記載の発明は舗装機械に舗装厚検出手段を設けると共に、該舗装厚検出手段に接続して前記締め固め装置の作動制御手段を設けたものであり、前記作動制御手段は前記舗装厚検出手段に接続して該舗装厚検出手段からの検出信号を入力して演算する演算装置及び該演算装置に接続し且つ該演算装置に操作される電磁比例流量制御弁を設けてなり、該電磁比例流量制御弁は前記締め固め装置を構成するタンパ又はバイブレータの回転数又は振動数を調整する油圧モータの圧油の流量を制御するように構成したから、該舗装厚検出手段の検出結果に基づき前記締め固め装置の作動を制御することができ、舗装厚に応じた締め固め度を得ることが可能となり、舗装現場に於ける舗装厚に的確に対処して締め固め度を実現できるものである。
【００２８】
更に、請求項３記載の発明は舗装機械に舗装速度検出手段及び舗装厚検出手段を設けると共に、該舗装速度検出手段及び舗装厚検出手段に接続して前記締め固め装置の作動制御手段を設けたものであり、前記作動制御手段は前記舗装速度検出手段及び舗装厚検出手段に接続して該舗装速度検出手段及び舗装厚検出手段からの検出信号を入力して演算する演算装置及び該演算装置に接続し且つ該演算装置に操作される電磁比例流量制御弁を設けてなり、該電磁比例流量制御弁は前記締め固め装置を構成するタンパ又はバイブレータの回転数又は振動数を調整する油圧モータの圧油の流量を制御するように構成したから、前記舗装速度検出手段及び前記舗装厚検出手段の検出結果に基づき前記締め固め装置の作動を制御することができ、舗装速度及び舗装厚の双方に対応した締め固め度を得ることが可能となる。
又、前記舗装厚検出手段により検出された舗装厚情報により前記締め固め装置の最適な回転数又は振動数を決定し、次に、前記舗装速度検出手段により検出された舗装速度情報により前記舗装厚情報によって決定した前記回転数又は振動数を補正する。斯くして前記締め固め装置は舗装厚及び舗装速度に応じたより最適な締め固め度を得ることができる。
【００２９】
又、請求項４記載の発明は舗装機械に舗装速度設定値検出手段を設けると共に、該舗装速度設定値検出手段に接続して前記締め固め装置の作動制御手段を設けたものであり、前記作動制御手段は前記舗装速度設定値検出手段に接続して該舗装速度設定値検出手段からの検出信号を入力して演算する演算装置及び該演算装置に接続し且つ該演算装置に操作される電磁比例流量制御弁を設けてなり、該電磁比例流量制御弁は前記締め固め装置を構成するタンパ又はバイブレータの回転数又は振動数を調整する油圧モータの圧油の流量を制御するように構成したから、前記舗装速度設定値検出手段の検出結果に基づき前記締め固め装置の作動を制御することができ、舗装速度設定値に応じた締め固め度を得ることが可能となる。
そして、この締め固め制御装置１３は、作業現場が変わった時、又は、舗装速度が変わった時も、前記舗装速度設定値に基づく前記締め固め制御装置の回転数及び振動数になるが、前記舗装機械も前記設定値に基づき早い時間に設定の舗装速度になるので、前記締め固め装置は早く変化前と同条件の作業状態に移行することができる。
【００３０】
更に、請求項５記載の発明は舗装機械に舗装厚設定値検出手段を設けると共に、該舗装厚設定値検出手段に接続して前記締め固め装置の作動制御手段を設けたものであり、前記作動制御手段は前記舗装厚設定値検出手段に接続して該舗装厚設定値検出手段からの検出信号を入力して演算する演算装置及び該演算装置に接続し且つ該演算装置に操作される電磁比例流量制御弁を設けてなり、該電磁比例流量制御弁は前記締め固め装置を構成するタンパ又はバイブレータの回転数又は振動数を調整する油圧モータの圧油の流量を制御するように構成したから、前記舗装厚設定値検出手段の検出結果に基づき前記締め固め装置の作動を制御することができ、舗装厚設定値に応じた締め固め度を得ることが可能となる。
又、この締め固め制御装置１５は前記締め固め制御装置１３と同様に、作業現場が変わった時、又は、舗装速度が変わった時も、前記舗装厚設定値に基づいて迅速に変化前と同条件の作業状態に移行することができる。
【００３１】
又、請求項６記載の発明は舗装機械に舗装速度設定値検出手段及び舗装厚設定値検出手段を設けると共に、該舗装速度設定値検出手段及び舗装厚設定値検出手段に接続して前記締め固め装置の作動制御手段を設けたものであり、前記作動制御手段は前記舗装速度設定値検出手段及び舗装厚設定値検出手段に接続して該舗装速度設定値検出手段及び舗装厚設定値検出手段からの検出信号を入力して演算する演算装置及び該演算装置に接続し且つ該演算装置に操作される電磁比例流量制御弁を設けてなり、該電磁比例流量制御弁は前記締め固め装置を構成するタンパ又はバイブレータの回転数又は振動数を調整する油圧モータの圧油の流量を制御するように構成したから、前記舗装速度設定値検出手段及び前記舗装厚設定値検出手段の検出結果に基づき前記締め固め装置の作動を制御することができ、舗装速度設定値及び舗装厚設定値に応じた締め固め度を得ることができる。
更に、前記舗装厚設定値検出手段により検出された舗装厚設定値情報により前記締め固め装置の最適な回転数及び振動数を決定し、次に、前記舗装速度設定値検出手段により検出された舗装速度設定値情報により前記舗装厚設定値情報によって決定した前記回転数及び振動数を補正し、更に最適な回転数及び振動数を決定することができる。
【００３２】
斯くして、本発明は舗装機械の締め固め装置を構成するタンパ又はバイブレータの回転数又は振動数の作動を、舗装速度情報並びに舗装厚情報に基づいて、自動的に制御することにより最適な締め固め度を得ることができ、これによって仕上がりの良い舗装が可能になる等、正に著大な効果を奏する発明である。
【図面の簡単な説明】
【図１】本発明の一実施の形態を示し、舗装速度検出手段を備えた締め固め制御装置の制御図。
【図２】本発明の一実施の形態を示し、舗装厚検出手段を備えた締め固め制御装置の制御図。
【図３】本発明の一実施の形態を示し、舗装速度検出手段および舗装厚検出手段を備えた締め固め制御装置の制御図。
【図４】本発明の一実施の形態を示し、舗装速度設定値検出手段を備えた締め固め制御装置の制御図。
【図５】本発明の一実施の形態を示し、舗装厚設定値検出手段を備えた締め固め制御装置の制御図。
【図６】本発明の一実施の形態を示し、舗装速度設定値検出手段および舗装厚設定値検出手段を備えた締め固め制御装置の制御図。
【符号の説明】
１，１０，１２，１３，１５，１７  締め固め制御装置
３                                舗装速度検出手段
１１                                舗装厚検出手段
１４                                舗装速度設定値検出手段
１６                                舗装厚設定値検出手段
【図１】
0003797652.tif 000002
【図２】
0003797652.tif 000003
【図３】
0003797652.tif 000004
【図４】
0003797652.tif 000005
【図５】
0003797652.tif 000006
【図６】
0003797652.tif 000007